(57)【要約】【課題】ガス通路に対してフィルターを迅速に出し入れでき、しかも、ガス通路のシール不良を起こしにくいフィルター出し入れ装置を提供する。【解決手段】移送体２２が、モータ２１の駆動力で移動操作されて操作ピン２２ａを介してフィルターホルダー１０を移動操作し、フィルター１１，１２をガス通路６に対して出し入れする。フィルターホルダー１０が移動する時、フィルターホルダー１０の凹部４４，４７がフィルター押圧体３３のローラ４１とかフィルター支持体３４のローラ４２から外れ、シール部５１，５２，５３が圧接解除状態になる。フィルター１１，１２がガス通路６に入ると、フィルターホルダー１０の凹部４４，４７がローラ４１，４２に合致し、シールばね４９によるフィルター押圧体３３の押圧付勢のためにシール部５１，５２，５３がフィルター押圧体３３やフィルターホルダー１０に圧接される。【選択図】　図２
2004020436.tif 000002
【特許請求の範囲】
【請求項１】
ガス通路に対してフィルターが出入りするようにフィルターホルダーを移動操作する操作機構を備え、フィルターがガス通路に入った作用状態になると、ガス通路を形成している通路形成部材とフィルターホルダーとの間のためのシール部が接触対象部に対して圧接されたシール状態になり、フィルターホルダーの移動時に、シール部が接触対象部に対する圧接を解除されたシール解除状態になるように、前記操作機構によるフィルターホルダーの移動操作に伴ってシール部を前記シール状態と前記シール解除状態とに切り換え操作するシール切換え手段を備えてあるフィルター出し入れ装置。
【請求項２】
前記シール切換え手段は、前記通路形成部材とフィルターホルダーとの一方に設けた突部と、他方に設けた凹部及び押出し面と、前記突部を前記凹部に入り込むように付勢することによってシール部を接触対象部に対して圧接付勢する付勢手段とを備えて成り、突部が凹部に入り込むことによってシール部を前記シール状態に切り換え操作し、突部が押出し面に当接することによってシール部を前記シール解除状態に切り換え操作するように構成してある請求項１記載のフィルター出し入れ装置。
【請求項３】
前記シール部は、前記フィルターホルダーとは別部品に作製してフィルターホルダーに装着してあるシール材である請求項１又は２記載のフィルター出し入れ装置。
【請求項４】
前記フィルターホルダーは、シール材を抱持するシール材組付け溝を備えている請求項３記載のフィルター出し入れ装置。
【請求項５】
前記シール材を、フィルターを組付け部に止着しているように構成してある請求項３又は４に記載のフィルター出し入れ装置。
【発明の詳細な説明】
【０００１】
【発明の属する技術分野】
本発明は、ガス通路に対してフィルターを出し入れするフィルター出し入れ装置に関する。
【０００２】
【従来の技術】
たとえば、室内環境のホルムアルデヒド濃度を測定する装置として、室内空気をセンサに供給するガス通路に対してホルムアルデヒドなどを吸着するフィルターを脱着することにより、ホルムアルデヒドなどが除去された室内空気やホルムアルデヒドなどが含まれたままの室内空気をセンサに供給し、ホルムアルデヒドなどが除去された室内空気を供給した場合の検出結果と、ホルムアルデヒドなどが含まれたままの室内空気を供給した場合の検出結果とを基に濃度測定を行うように構成されたものがある。
このように、ガス通路に対してフィルターを脱着するものとしては、従来、作業者がフィルターを手で装着したり取り外したりするようになっていた。
【０００３】
【発明が解決しようとする課題】
従来、ガス通路に対するフィルターの脱着を行うには、フィルター取り付けねじを人為的に回転操作して締め付けたり緩めたりせねばならず、手間が掛かっていた。
【０００４】
本発明の目的は、ガス通路のシール不良を発生しにくくしながら上記したフィルター脱着が迅速に行えるフィルター出し入れ装置を提供することにある。
【０００５】
【課題を解決するための手段】
請求項１による発明の構成、作用、効果はつぎのとおりである。
【０００６】
〔構成〕
請求項１に係る発明のフィルター出し入れ装置にあっては、ガス通路に対してフィルターが出入りするようにフィルターホルダーを移動操作する操作機構を備え、フィルターがガス通路に入った作用状態になると、ガス通路を形成している通路形成部材とフィルターホルダーとの間のためのシール部が接触対象部に対して圧接されたシール状態になり、フィルターホルダーの移動時に、シール部が接触対象部に対する圧接を解除されたシール解除状態になるように、前記操作機構によるフィルターホルダーの移動操作に伴ってシール部を前記シール状態と前記シール解除状態とに切り換え操作するシール切換え手段を備えてある。
【０００７】
〔作用〕
操作機構を作動させると、この操作機構がフィルターホルダーを移動操作してフィルターをガス通路に対して出し入れ操作する。操作機構がフィルターの移動操作を行うとき、シール部が接触対象部に対して圧接されたシール状態のままになっていると、シール部と接触対象部との相対移動のためにシール部に強い摩擦が発生するが、シール切換え手段が操作機構の移動操作に伴って自ずとシール部をシール解除状態に切り換えており、シール部の接触対象部に対する圧接が解除されていてシール部に摩擦が発生しなくなる。操作機構がフィルターをガス通路に入り操作してフィルターが作用状態になると、シール切換え手段がフィルターの作用状態への切り換わりに伴って自ずとシール部をシール状態に切り換え操作し、シール部が接触対象部に対して圧接された状態になってガス通路がシール状態になる。
【０００８】
〔効果〕
従って、ガス供給を行うに当たり、シール部がシール状態になってガス通路がシールされ、シール不良による漏れ出しを回避した状態で行えるものでありながら、供給ガスの切り換えを行うなど、フィルターのガス通路に対する脱着を行うに当たり、操作機構を作動させるだけで迅速に行える。しかもその割には、シール部の摩擦発生を回避しながらフィルターを移動させ、シール部が損傷や摩滅しにくくて長期使用できるものになる。
【０００９】
請求項２による発明の構成、作用、効果はつぎのとおりである。
【００１０】
〔構成〕
請求項１による発明の構成において、前記シール切換え手段は、前記通路形成部材とフィルターホルダーとの一方に設けた突部と、他方に設けた凹部及び押出し面と、前記突部を前記凹部に入り込むように付勢することによってシール部を接触対象部に対して圧接付勢する付勢手段とを備えて成り、突部が凹部に入り込むことによってシール部を前記シール状態に切り換え操作し、突部が押出し面に当接することによってシール部を前記シール解除状態に切り換え操作するように構成してある。
【００１１】
〔作用〕
操作機構によるフィルターの移動操作に伴ってシール部をシール状態とシール解除状態とに切換え操作するようにシール切換え手段を構成するに当たり、シール部が作用状態に切り換わったことやシール部が移動していることを検出するセンサ、および、このセンサからの情報に基づいてシール部をシール状態とシール解除状態とに切り換える制御手段を採用することによっても構成できる。これに対し、請求項２によるものにあっては、シール部がガス通路に入った作用状態になると、突部と凹部とが合致し、付勢手段のために突部が凹部に入り込んでシール部がシール状態になる。シール部が移動される際、突部が凹部から外れて押出し面に乗り上がり、これによってシール部がシール解除状態になるものであるから、特別なセンサや制御手段を不要にしながらシール切換え手段を構成できる。
【００１２】
〔効果〕
従って、突部や凹部とか、付勢手段を備えるだけで構造簡単かつコンパクトにシール切換え手段を構成し、フィルターのガス通路に対する出し入れがシール部の摩擦発生を回避しながら迅速に行えるものを、シール切換え手段の面から構造簡単かつコンパクトに得られる。
【００１３】
請求項３による発明の構成、作用、効果はつぎのとおりである。
【００１４】
〔構成〕
請求項１又は２による発明の構成において、前記シール部は、前記フィルターホルダーとは別部品に作製してフィルターホルダーに装着してあるシール材である。
【００１５】
〔作用〕
シール部はフィルターホルダーとは別部品に作製したものであるから、シール部には、弾性などシールに適した性状を備えさせ、フィルターホルダーには、強度などフィルターの移動操作に適した性状を備えさせることができる。
【００１６】
〔効果〕
従って、シール部によるガス通路のシールを精度よく行わせて漏れ防止を確実に行わせながら、フィルターホルダーが操作機構による操作力のために変形するなどしないでフィルターの移動操作を確実に行い、フィルターの出し入れを精度よく行なわせられる。
【００１７】
請求項４による発明の構成、作用、効果はつぎのとおりである。
【００１８】
〔構成〕
請求項３による発明の構成において、前記フィルターホルダーは、シール材を抱持するシール材組付け溝を備えている。
【００１９】
〔作用〕
フィルターホルダーは、シール材組付け溝による抱持によってシール材を支持するものである。これにより、シール切換え手段が上記した凹部及び突部などを備えて成るなど、操作機構が操作されてシール材がシール解除状態に切り換わるまでに接触対象部と擦れることがあっても、シール材がフィルターホルダーに強固に支持されてずれ動きにくくなるとか外れにくくなる。
【００２０】
〔効果〕
シール材が出し入れ操作される際、接触対象部に対して擦れながらシール解除状態に切り換わるものであっても、シール材がずれ動きにくいとか外れにくくて、ガス通路を精度よくシールさせながらガス供給できる。
【００２１】
請求項５による発明の構成、作用、効果はつぎのとおりである。
【００２２】
〔構成〕
請求項３又は４による発明の構成において、前記シール材を、フィルターを組付け部に止着しているように構成してある。
【００２３】
〔作用〕
シール材をフィルターホルダーに組付けると、シール材がフィルターを組付け部に止着する状態になってフィルターの外れ止めを一挙に行えるものである。
【００２４】
〔効果〕
シール材及びフィルターをフィルターホルダーに組み付ける際、シール材の組付けとフィルターの外れ止めとを一挙に行って操作簡単に組付け状態を得られる。
【００２５】
【発明の実施の形態】
図１に示すように、天板上に操作パネル１を備え、左右側板の一方の上部に吸気口２を備え、他方の側板の上部に排気口３を備えている測定ケース４の内部に、センサ５、乾電池から電力供給する電源部などを設けて、ホルムアルデヒド測定装置を構成してある。
【００２６】
この測定装置は、住宅などの室内環境のホルムアルデヒド濃度を測定するものであり、さらに詳述すると、前記センサ５の他、図２に示す如く前記センサ５の接ガス部５ａに一端側が接続しているガス通路６、このガス通路６の入口６ａに一端側が接続し、他端側が測定ケース４の前記吸気口２に接続している樹脂製ホースで成るとともに途中に電動マイクロエアーポンプ７ａを備えているガス供給路７、前記ガス通路６の出口６ｂに一端側が接続し、他端側が測定ケース４の前記排気口３に接続している樹脂製ホースで成るガス排出路８、前記ガス通路６の前記入口６ａ及び出口６ｂと、センサ５の前記接ガス部５ａとの間に一端側が入り込んでいるフィルターホルダー１０を備えているフィルター出し入れ装置Ｍ、このフィルター出し入れ装置Ｍの電動フィルター出し入れモータ２１及び前記エアーポンプ７ａの駆動部や前記センサ５の出力部に連係しているマイクロコンピュータ利用の制御装置ＣＰを前記測定ケース４の内部に設けて構成してある。
【００２７】
すなわち、図１に示す操作パネル１の始動スイッチ１ａを操作すると、制御装置ＣＰが始動スイッチ１ａから測定指令を入力し、エアーポンプ７ａ及びフィルター出し入れモータ２１を操作する測定制御を実行する。これにより、先ず、初期設定が行なわれ、フィルター出し入れ装置Ｍが、フィルター出し入れモータ２１の駆動力によってフィルターホルダー１０を基準値測定側に移動操作し、図２及び図８（イ）に示す如くフィルターホルダー１０が支持している２種のフィルター１１，１２の一方の第１フィルター１１をガス通路６に挿入する。第１フィルター１１がガス通路６に入った作用状態になり、このことを図２に示すホルダー移送体２２の移動位置に基づいて検出する検出スイッチ２３が検出状態になると、エアーポンプ７ａが駆動され、ガス供給路７がエアーポンプ７ａのポンプ作用により、試料空気を吸気口２から吸引してガス通路６に供給し、ガス通路６に流入した試料空気の一部は、第１フィルター１１を通過してセンサ５の接ガス部５ａに流入し、オーバーフローした試料空気は、ガス通路６の出口６ｂからガス排出路８に流入して排気口３から外部に排出される。この１次試料供給が５分間にわたって行なわれると、次に、フィルター出し入れモータ２１が駆動され、フィルター出し入れ装置Ｍが、フィルター出し入れモータ２１の駆動力によってフィルターホルダー１０をホルムアルデヒド測定側に移動操作し、図８（ハ）に示す如く第１フィルター１１をガス通路６から出し、第２フィルター１２の方をガス通路６に挿入する。第２フィルター１２がガス通路６に入った作用状態になり、このことを前記ホルダー移送体２２の移動位置に基づいて検出する図２の検出スイッチ２４が検出状態になると、エアーポンプ７ａが再度駆動され、ガス供給路７が再度、試料空気を吸気口２から吸引してガス通路６に供給し、ガス通路６に流入した試料空気の一部は、第２フィルター１２を通過してセンサ５の接ガス部５ａに流入し、オーバーフローした試料空気は、ガス通路６の出口６ｂ及びガス排出路８を介して排気口３から外部に排出される。この２次試料供給を行ってから５分間が経過すると、エアーポンプ７ａの駆動が停止されて試料空気の供給が停止され、制御装置ＣＰが１次試料供給を行った際のセンサ５による検出結果と、２次試料供給を行った際のセンサ５による検出結果とを基にホルムアルデヒド濃度の測定処理を行う。
【００２８】
すなわち、第１フィルター１１は、２，４−ジニトロフェニルヒドラジン（以下、２，４−ＤＮＰＨと略称する。）をグラスウールにコーティングして成るフィルターを主フィルターとして備えており、フィルタ剤としての２，４−ＤＮＰＨの作用により、アルデヒド類やアセトンなどのケトン類を吸着し、ケトン類以外のキシレンやトルエン、アルコールなどの揮発性有機化合物（以下、ＶＯＣと略称する。）を通過させる。
第２フィルター１２は、２，４−ＤＮＰＨをフィルタ剤としたフィルターを備えておらず、アルデヒド類やアセトンなどのケトン類も、ケトン類以外のＶＯＣも通過させる。
センサ５は、定電位電解式センサで成り、ホルムアルデヒドに対しても、ＶＯＣに対しても感度を有し、ケトン類に対する感度はほとんどない。そして、ガス出力特性がリニアであるため、単一ガスの複数が複合したガスを感知した場合には、出力が単純に加算される。
つまり、制御装置ＣＰは、図９に示す如く１次試料供給を５分間行った際のセンサ５による検出値Ａを基準値とし、この基準値と、２次試料供給を５分間行った際のセンサ５による検出値Ｂの差（Ｂ−Ａ）を演算し、この差をホルムアルデヒド濃度として測定する。
【００２９】
センサ５がエタノールなどの干渉ガスを感知した場合、センサ５の検出結果が図１０に示す如く変化する。この場合、制御装置ＣＰは、１次試料供給時のその検出結果の変化を検出すると、測定モードを図９の通常モードから干渉ガスモードに自動的に変更し、図１０に示す如く測定処理を行うように構成してある。
すなわち、１次試料供給を開始してから３分、４分、５分のそれぞれが経過したときのセンサ５の検出値Ａ３，Ａ４，Ａ５から最小二乗法で、試料供給を１０分間行った時に得られるものとして予測される予測検出値Ｃを演算し、この予測検出値Ｃを０．８倍した検出値Ｄを演算するとともにこの演算検出値Ｄを基準値とし、この基準値と、２次試料供給を５分間行った際のセンサ５による検出値Ｂとの差（Ｂ−Ｄ）を演算し、この差をホルムアルデヒド濃度として測定する。
【００３０】
制御装置ＣＰは、ホルムアルデヒドの測定処理を完了すると、この測定結果を図１に示す操作パネル１の液晶利用の表示部１ｂにデジタル表示する。
【００３１】
この測定装置にあっては、上記した如くガス通路６の出入口６ａ，６ｂと、センサ５の接ガス部５ａとの間で各フィルター１１，１２を作用させるものであるから、吸気口２から吸引される全ての試料ガスが各フィルター１１，１２を通過するのではなく、一部の試料ガスだけが各フィルター１１，１２を通過してセンサ５に供給される。これにより、各フィルター１１，１２を小型化しながら、かつ、各フィルター１１，１２の使用寿命を延ばしながら測定を行える。
【００３２】
図２、図３などに示すように、前記ガス通路６は、測定ケース４の内部に固定の一対の板金フレーム３０に連結している蓋体３２によって支持されている樹脂製のブロック体で成るとともに前記入口６ａ及び出口６ｂを備えているフィルター押圧体３３に設けてある有底孔と、センサ５に固定されている樹脂板で成るフィルター支持体３４に設けてある貫通孔とによって形成してある。
【００３３】
前記フィルター出し入れ装置Ｍには、前記フィルター出し入れモータ２１を有したフィルター操作機構２０を備え、図３、図７の如く前記フィルター押圧体３３のフィルター押圧面３３ａの複数箇所にローラを回転自在に付設して設けた回転式の押圧体側突部４１などを有したシール切換え手段４０を備えてある。
【００３４】
フィルター操作機構２０は、図２、図３に示すように、前記フィルター出し入れモータ２１と、このモータ２１を支持している減速ケース２５の内部に位置するギヤ式減速機構を介して前記フィルター出し入れモータ２１の出力部に連動しているネジ軸２６と、このネジ軸２６に本体のメネジ部が外嵌するとともに螺合している前記ホルダー移送体２２とによって構成してある。
【００３５】
ホルダー移送体２２に、本体から突出している操作ピン２２ａを備えてあるとともに、この操作ピン２２ａは、樹脂板製の前記フィルターホルダー１０の一端部が図３に示す取り付け孔１３によって摺動及び抜き外し自在に装着されることにより、フィルターホルダー１０に対して一体移動自在に係合するように構成してある。フィルター出し入れモータ２１が正回転や逆回転方向に駆動されると、ネジ軸２６がフィルター出し入れモータ２１の駆動力によって正回転や逆回転方向に駆動されてホルダー移送体２２を、これの本体に移動案内及び回り止め作用する図３のガイド部材２７のガイド溝２７ａに沿わせてガス通路６に対して近付く方向やガス通路６から離れる方向に移送し、ホルダー移送体２２が、前記操作ピン２２ａによってフィルターホルダー１０を前記フィルター支持体３４と、このフィルター支持体３４の両横側に位置している前記板金フレーム３０とで形成されているとともにガス通路６を横断しているホルダー通路２８に沿わせて移送する。
【００３６】
これにより、フィルター操作機構２０は、フィルター出し入れモータ２１が正回転や逆回転方向に駆動操作されることによって作動し、作動すれば、フィルタ出し入れモータ２１の駆動力でフィルターホルダー１０をホルダー通路２８に沿わせて移動操作することによって２種のフィルター１１，１２をガス通路６に対して出し入れ操作し、一方のフィルター１１，１２をガス通路６に入り込んで試料ガスのろ過処理を行う作用状態に操作し、他方のフィルター１２，１１をガス通路６から外部に出た非使用状態に操作する。
【００３７】
シール切換え手段４０は、前記フィルター押圧体３３に設けた前記複数個の押圧体側突部４１と、図３、図７の如くフィルター支持体３４のフィルター支持面３４ａの複数箇所にローラを回転自在に付設して設けた回転式の支持体側突部４２と、図５に示す如くフィルターホルダー１０のフィルター支持体３４に対向する方の側面１０ａの複数箇所に設けた凹部４３，４４、フィルターホルダー１０の前記側面１０ａの前記凹部４３，４４から外れた部分で成る押し出し面４５と、図３などに示す如くフィルターホルダー１０のフィルター押圧体３３に対向する方の側面１０ｂの複数箇所に設けた凹部４６，４７と、図２、図７などに示す如くフィルターホルダー１０の前記側面１０ｂの前記凹部４６，４７から外れた部分で成る押し出し面４８と、前記蓋体３２のフィルター押圧体３３が組付けられている押圧体収容室３５の内部に設けたシールばね４９とによって構成してある。
【００３８】
図３に示す如くフィルター押圧体３３の両横側面の下端側に金属板３６を付設して外れ止め兼用の一対の位置決め部３６ａを設け、蓋体３２の前記押圧体収容室３５を形成している部分の横端部に前記位置決め部３６が入り込むように形成した切欠きを設けて備えてある一対のストッパー３７どうしの間を前記位置決め部３６ａが移動するストロークだけ、フィルター押圧体３３がフィルター支持体３４に近付いたり、フィルター支持体３４から離れる方向に蓋体３２に対して移動できるように構成してあり、前記シールばね４９は、フィルター押圧体３３を蓋体３２の押圧体収容室３５から出る方向に摺動付勢している。
【００３９】
図７（イ）、図８（イ）に示すように、前記第１フィルター１１がガス通路６に入り込んで前記作用状態になった場合には、フィルターホルダー１０とフィルター押圧体３３との間においても、フィルターホルダー１０とフィルター支持体３４との間においても、フィルターホルダー１０の前記凹部４３，４４，４６，４７のうち、第１フィルター１１に近い方の凹部４３，４６と、押圧体側突部４１や支持体側突部４２とが合致し、前記シールばね４９がフィルター押圧体３３を突出付勢していて各突部４１，４２を凹部４３，４６に入り込み付勢することによって、押圧体側突部４１も支持体側突部４２もこれに合致した凹部４３，４６に入り込み、フィルターホルダー１０の第１フィルター１１のまわりに設けてあるシール部５１が、シールばね４９によるフィルター押圧体３３の突出付勢のためにフィルター押圧体３３のフィルター押圧面３３ａに圧接されてフィルターホルダー１０とフィルター押圧体３３との間をシールする状態になり、フィルター支持体３４のガス通路６のまわりに設けてあるシール部５３が、シールばね４９によるフィルター押圧体３３の突出付勢のためにフィルターホルダー１０の側面１０ａに圧接されてフィルターホルダー１０とフィルター支持体３４との間をシールする状態になるように構成してある。
【００４０】
図７（イ）、図８（ハ）に示すように、前記第２フィルター１２がガス通路６に入り込んで前記作用状態になった場合には、フィルターホルダー１０とフィルター押圧体３３との間においても、フィルターホルダー１０とフィルター支持体３４との間においても、フィルターホルダー１０の前記凹部４３，４４，４６，４７のうち、第２フィルター１２に近い方の凹部４４，４７と、押圧体側突部４１や支持体側突部４２とが合致し、前記シールばね４９がフィルター押圧体３３を突出付勢していて各突部４１，４２を凹部４４，４７に入り込み付勢することによって、押圧体側突部４１も支持体側突部４２もこれに合致した凹部４４，４７に入り込み、フィルターホルダー１０の第２フィルター１２のまわりに設けてあるシール部５２が、シールばね４９によるフィルター押圧体３３の突出付勢のためにフィルター押圧体３３のフィルター押圧面３３ａに圧接されてフィルターホルダー１０とフィルター押圧体３３との間をシールする状態になり、フィルター支持体３４の前記シール部５３が、シールばね４９によるフィルター押圧体３３の突出付勢のためにフィルターホルダー１０の側面１０ａに圧接されてフィルターホルダー１０とフィルター支持体３４との間をシールする状態になるように構成してある。
【００４１】
図７（ロ）、図８（ロ）に示すように、第１フィルター１１及び第２フィルター１２を前記作用状態と前記非使用状態の一方から他方に切り換えるべくフィルターホルダー１０が移動される時、フィルターホルダー１０の両側面１０ａ，１０ｂの凹部４３，４４，４６，４７が押圧体側突部４１からも、支持体側突部４２からも外れて各押し出し面４５，４８が押圧体側突部４１とか支持体側突部４２に乗り上がり、この乗り上がりのためにフィルター押圧体３３がシールばね４９に抗して押圧体収容室３５の奥側に入り込んでフィルターホルダー１０とフィルター支持体３４とが離間するとともにフィルターホルダー１０とフィルター押圧体３３とが離間し、フィルターホルダー１０のシール部５１，５２がフィルター押圧体３３のフィルター押圧面３３ａに対する圧接を解除されたシール解除状態になり、フィルター支持体３４のシール部５３がフィルターホルダー１０の側面１０ａに対する圧接を解除されたシール解除状態になるように構成してある。
【００４２】
これにより、シール切換え手段４０は、シール操作機構２０によるフィルターホルダー１０の移動操作が行なわれるに伴って自ずと各シール部５１，５２，５３の切換え操作を実行するのであり、シール操作機構２０がフィルターホルダー１０を移動させている時には、各シール部５１，５２，５３を前記圧接解除状態に切換え操作するともにその圧接解除状態に維持操作し、シール操作機構２０がいずれか一方のフィルター１１，１２を前記作用状態にすると、作用状態になったフィルター１１，１２に対応する方のシール部５１，５２、及び、フィルター支持体３４のシール部５３を前記シール状態に切り換え操作する。
【００４３】
従って、フィルター出し入れ装置Ｍは、フィルター出し入れモータ２１が駆動操作されることにより、フィルター操作機構２０を作動させ、このフィルター操作機構２０によってフィルターホルダー１０を移動操作させて２種のフィルター１１，１２を一挙にガス通路６に対して出し入れ操作する。このとき、フィルター操作機構２０によるフィルターホルダー１０の移動操作に伴って自ずと切換え操作を実行するシール切換え手段４０によって各シール部５１，５２，５３をシール解除状態に切り換えさせるとともに維持させ、シール部５１，５２，５３にフィルター押圧体３３とかフィルターホルダー１０に対する摺動による摩擦が発生しないようにしながらフィルター１１，１２の出し入れを行わせる。フィルター操作機構２０がフィルターホルダー１０をストロークエンドまで移動操作していずれか一方のフィルター１１，１２をガス通路６に入った作用状態にすると、これに伴って自ずと切換え操作を実行するシール切換え手段４０により、フィルターホルダー１０が備えている２つのシール部５１，５２のうち、作用状態になったフィルター１１，１２に対応する方のシール部５１，５２をフィルター押圧体３３のフィルター押圧面３３ａに対して圧接されたシール状態に、フィルター支持体３４が備えているシール部５３をフィルターホルダー１０の側面１０ａに圧接されたシール状態にそれぞれ切り換え操作させ、ガス通路６を試料ガスが漏れ出ないようにシール状態にする。
【００４４】
フィルターホルダー１０の第１フィルター１１のまわりに備えてある前記シール部５１も、第２フィルター１２のまわりに備えてある前記シール部５２も、フィルターホルダー１０とは別部品に作製したシール材の一例としてのオーリングによって構成してあり、各シール部５１，５２を構成しているオーリングは、図４などに示す如くフィルターホルダー１０にガス流通孔１４と同芯状に設けた環状のシール材組付け溝１５に装着してある。
【００４５】
図６に示すように、シール材組付け溝１５は、一対の溝内壁部１５ａ，１５ｂによってフィルター１１，１２を介してオーリングを挟持するように構成してある。一対の溝内壁部１５ａ，１５ｂのうち、フィルターホルダー外側に位置する方の溝内壁部１５ｂの外側端１５ｃは、オーリングの中心５１ａ，５２ａよりフィルターホルダー外側に位置する部分に対して支持作用するように構成してある。これにより、シール材組付け溝１５は、オーリングを抱持することによって支持し、各凹部４６，４７が突部４１から外れ始める際、オーリングとフィルター押圧体３３との間に摩擦が発生してもオーリングが離脱しにくいように支持している。
【００４６】
図６に示すように、シール材組付け溝１５に組付けたオーリングは、フィルターホルダー内側に位置する部分５１ｂ，５２ｂでフィルター１１，１２に対してストッパー作用し、これにより、フィルター１１，１２をこれの組付け部である前記内壁部１５ａに止着するように構成してある。
【００４７】
フィルター支持体３４に備えてあるシール部５３も、フィルターホルダー１０に備えてあるシール部５１，５２と同様に、オーリングによって構成してある。このフィルター支持体３４のオーリングも、フィルターホルダー１０のシール材組付け溝１５と同様に、オーリングを抱持によって支持するシール材組付け溝によってフィルター支持体３４に装着してある。
【００４８】
前記蓋体３２は、図３などに示す如くフィルター押圧体３３を支持している方の端部で連結ピン３１を介して前記一対の板金フレーム３０にわたって回動自在に連結していて、連結ピン３１の軸芯まわりで揺動開閉できるようになっており、図１（ロ）に示す如く測定ケース４の後側板に設けてある揺動開閉自在なフィルター交換蓋５５を開放するとともに、前記蓋体３２を開放してホルダー通路２８を開放することにより、フィルターホルダー１０をホルダー移送体２２の操作ピン２２ａから抜き外して、フィルター１１，１２をフィルターホルダー１０と共にフィルター出し入れ装置Ｍから取外して交換できるようにしてある。
【００４９】
〔別実施形態〕
上記実施形態の如く、シール部５１，５２，５３をフィルターホルダー１０とフィルター支持体３４とに振り分けて備えて実施する他、フィルターホルダー１０とフィルター押圧体３３とに振り分けて備えたり、フィルター押圧体３３とフィルター支持体３４とに振り分けて備えて実施するとか、さらには、フィルターホルダー１０だけに纏めて備えて実施してもよい。このようにシール部を備える部材を相違させて実施すると、シール部が圧接されるとか、この圧接が解除される部分も異なる。従って、フィルター押圧面３３ａ、フィルターホルダー１０の側面１０ａなどを総称して接触対象部３３ａ，１０ａと呼称する。
【００５０】
上記実施形態の如く凹部４３，４４，４６，４７、突部４１，４２を備えることによってシール切換え手段４０を構成して実施する場合、突部をフィルターホルダー１０の方に設け、凹部をフィルター押圧体３３やフィルター支持体３４の方に設けることによって構成して実施してもよい。
【００５１】
前記シールばね４９に替え、ゴムなどを採用して実施してもよいのであり、これらを総称して付勢手段４９と呼称する。
【００５２】
上記実施形態の如く２種のフィルター１１，１２を択一的にガス通路６に挿入して常にフィルターを使用しながらガス供給するようにフィルターを出し入れ操作する装置の他、１つのフィルターをガス通路に挿入してガス供給する場合と、そのフィルターをガス通路から取出してガス供給する場合とに切り換えるようにフィルターを出し入れ操作する装置にも本発明は適用できる。
【００５３】
フィルター操作機構２０として、上記実施形態の如くモータ２１の駆動力で作動する動力式を採用して実施する他、レバーとかハンドルを人為的に揺動操作するとか回転操作し、フィルターホルダーを人為操作力によって移動操作することによってフィルターをガス通路に対して出し入れするように構成した手動式を採用して実施してもよい。この手動式の場合も、操作機構２０の作動に伴ってシール切り換え手段がシール部のシール状態とシール解除状態との切り換え操作を行うのであり、操作機構２０を作動させるだけで、フィルターがガス通路に入るとシール部が自ずとシール状態になったり、フィルターが移動するときにはシール部が自ずとシール解除状態になって本発明の目的を達成できるのである。
【図面の簡単な説明】
【図１】（イ）は、ホルムアルデヒド測定装置全体の斜視図、（ロ）は、フィルター交換蓋の説明図
【図２】フィルター出し入れ装置の断面図
【図３】フィルター出し入れ装置の蓋体開放状態での斜視図
【図４】フィルターホルダーのフィルター取り外し状態での斜視図
【図５】フィルターホルダーの斜視図
【図６】フィルターホルダーのシール材取り付け部での断面図
【図７】（イ）は、シール切り換え手段のシール操作状態での縦断面、（ロ）は、シール切り換え手段のシール解除状態での縦断面図
【図８】（イ）は、シール切り換え手段の第１フィルター使用状態におけるシール操作状態での断面図、（ロ）は、シール切り換え手段のシール解除状態での断面図、（ハ）は、シール切り換え手段の第２フィルター使用状態におけるシール操作状態での断面図
【図９】通常モードでの測定要領を示す説明図
【図１０】干渉ガスモードでの測定要領を示す説明図
【符号の説明】
６　　　　　　　ガス通路
１０　　　　　　フィルターホルダー
１０ａ，３３ａ　接触対象部
１１，１２　　　フィルター
１５　　　　　　シール材組付け溝
３３，３４　　　通路形成部材
４１，４２　　　突部
４３，４４，４６，４７　　　凹部
４５，４８　　　押し出し面
４９　　　　　　付勢手段
【図１】
2004020436.tif 000003
【図２】
2004020436.tif 000004
【図３】
2004020436.tif 000005
【図４】
2004020436.tif 000006
【図５】
2004020436.tif 000007
【図６】
2004020436.tif 000008
【図７】
2004020436.tif 000009
【図８】
2004020436.tif 000010
【図９】
2004020436.tif 000011
【図１０】
2004020436.tif 000012